(57)【特許請求の範囲】
【請求項１】
成人男女の平均身長と、現行バドミントンネットポストの高さとに基づいて、小学生用部分のバドミントンネットポストの高さを小学生の平均身長より低くし、
小学生１年生の平均身長を基準にして、ポスト外管支柱の高さを設定し、
小学生６学年に合わせてポストの高さを６段階に設定することを特徴とするバドミントンネット多役ポストの高さ調整方法。
【請求項２】
請求項１記載のバドミントンネット多役ポストの高さ調整方法に於いて、
決められた外管支柱が以下の調整装置につけられ、
調整装置の上昇⇔下降調整技術構成には以下の構造工程が必要であり、ネットを支えの内管支柱・内管支柱を上昇⇔下降させる調整レバー・調整レバーが上⇔下左⇔右移動するための（定位置孔、縦の本ルート、横の支ルート）全盤ルート構造で構成され上昇⇔下降調整装置であり、
操作レバーが内管支柱下部に装着する事によって内管支柱本体に成る、操作レバーが内管支柱本体を上昇⇔下降に動作させ、
定位置孔は小学１年生から大人用までそれぞれの高さ位置を定着、外管支柱壁に開けていた縦本ルートは操作レバーが上昇⇔下降の通路、横支ルートは操作レバーが縦本ルートから定位置孔への通路、内管支柱本体が操作レバーによって、外管支柱の縦本ルートをとり、上昇や下降による、それぞれ横支ルートを通って、それぞれ高さの定位置孔へ、（定位置孔の高さはプラス内管支柱本体の調整高さがバドミントンネット多役ポストの高さとなる、）内管支柱本体を上昇⇔下降させる調整装置である、
ことを特徴とするバドミントンネット多役ポストの高さ調整方法。
【請求項３】
請求項１と請求項２記載のバドミントンネット多役ポストの調整方法において、
一番上段は７段目とし、
大人用、６段目小６、１１歳用、５段目小５、１０歳用、４段目小４、９歳用、３段目小３、８歳用、２段目小２、７歳用、１段目小１、６歳用、とすることで、
小学生達が大人達と同じネット差の比率の条件で、バドミントンをさせる事が可能となる、ことを特徴とするバドミントンネット多役ポストの高さ調整方法。
【発明の詳細な説明】
【技術分野】
【０００１】    国際バドミントン連盟及び日本バドミントン協会の競技規則との基準に基づきバドミントンネットポストの高さを堅持立場で変わりなく、その高さより低めへ小学生用部分を追加するものであり。
本発明は、バドミントンネット多役ポストに関する。
【背景技術】
【０００２】  現在バドミントンのネットポストは一種類で高さは１５５ｃｍです。市販のポストは多数見られたが、（公報テキスト検出されてなかった）。
たとえば、実用新案文献１・２が公報に見られたが、全項目の具体的な内容が明示されていません。特許文献３がバレーボールネット支柱に関する開示の内容であり。
【先行技術文献】
【非特許文献】
【特許文献】
【０００３】
【中実抄１】
２０２９６１７５７号公報
【中実抄２】
２０２８９２８３６号公報
【特開３】
２０００−１５３０１０号公報
【発明概要】
【解決しょうとする課題】
【０００４】  今のところ、バドミントンの練習や試合に使用するネットポストは一種類の高さのみです、幼い子供や大人にかかわらず、１５５ｃｍの高さのネットを使用しなければならないのが子供達の現状である。
【０００５】  しかしながら、ネットより身長が低い子供達にとって、ネットが壁のような存在であり、バドミントン早期英才教育・選手への早期育成・普及に大きな障害となっている。
【０００６】    上述の問題点についてこれから詳細を述べます、小、中学校のバドミントンの部活について調べた結果ですが、私の暮らす町には小学校が２校ありますがバドミントンの部活がなく。希望者が少なくて、部活としては成立しない状況でした。中学校にもバドミントンの部活がなく、高校からバドミントンを始めるのでは遅すぎる。
現状小学校ではバドミントンの部活が行われていなくて、幼い子供達がバドミントンの影響を受け難い、バトミントン経験者の親を持つ子供達以外がバドミントンの経験を積むことができず、入学前にバドミントンの趣味を持つ子供が少ない、幼い頃別の興味に取られ、バドミントンの道に進む子供が少ない。他のスポーツと比べ、バドミントンのスタート年齢が遅すぎる。
＜例えば＞卓球界の福原愛選手が３歳、平野美宇選手が３歳、伊藤美誠選手が２歳から卓球を始めました。世界中のスポーツ界のトップ選手達はスタートが早いのです、２〜３歳から普通の事です。バドミントン界が遅過ぎる。幼い頃正しい技術を身に付ける事がとっても大事な事です。早期英才教育は現代スポーツ界の常識です。バドミントン界にも重視するべきです。
【０００７】  また、現状では、子供達が社会ジュニアバドミントン教室に入部しても、（練習は週１回のみ、）バドミントンのネットが高すぎるのも大きな問題となっています。小学１・２年の生徒を例にすると、６歳の子供達の男女平均身長は１１６．１５ｃｍです。７歳は１２２．１０ｃｍですが  高さ１５５ｃｍのネットポストが支える高いネットではスマシュやプッシュが出来ない、ショートサービスやヘアピンが難しく、床面と平行にドライブも打ちにくい。ネットの高さが壁になり、相手の動きが見えにくい、シャトルフライトの方向判断も難しく。練習出来るのはハイクリヤーとドロップぐらいです、ドライブを打つにも山型のフライトしか出来ません。大人と同じ内容のストロークとフライトの試合が出来なくて、劣等感が強くなり、自信をなくして辞めてしまう。子供達とってネット高いがバドミントンの早期英才教育や普及にも大きな障害となっておる。
【０００８】また、子供達にとって現状ネットの支障について、バドミントンはシャトルのフライトが打点で決まっています、打点の高さでシャトルの落下点が決まり、特に一番攻撃的なスマッシュ打ちの場合、高い打点と短い落下点が求められます、しかしネットより身長の低い子供達にとって一番魅力的な技なのに、断念するしかありません。また、サービスの場合、攻撃的なフライのドリブンサービスにも出来ません。全面技術が身に付けることが極めて困難である。
なお、バドミントンは体で覚えている感覚で打ちます、今までのポストでは、身長が伸びる事により、シャトルを打つ打点・フライト・落下点が変わり、神経が錯覚を起こしミスしてしまう。身長の低い子供達が山型のフライトを中心に練習している、（しかしバドミント実戦中には山型フライトが致命的な失敗フライトと言えます）正しくない練習方法を長く続けると、変な癖になる、慣れた癖を修正するのは大変な事です、技術全面の掌握が遅れ、選手へ早期育成の時間が掛かり過ぎる。以上が子供達を取り巻く現状です。子供達の為にネットポストの高さを改革する必要がある。
【０００９】  小・中学生平均身長とネットポストの差。参考資料として提供する。
小学校１年生６歳
女子：平均身長１１５．７ｃｍ男子：平均身長１１６．６ｃｍ男女平均は１１６．１５ｃｍ。
ネットポスト高：１５５ｃｍ、子供達の身長がネットより３８．８５ｃｍ低い。
小学校２年生７歳
女子：平均身長１１２．７ｃｍ男子：平均身長１２２．５ｃｍ男女平均は１２２．１ｃｍ。
ネットポスト高：１５５ｃｍ、子供達の身長がネットより３２．９ｃｍ低い。
小学校３年生８歳
女子：平均身長１２７．４ｃｍ男子：平均身長１２８．３ｃｍ男女平均は１２７．８５ｃｍ。
ネットポスト高：１５５ｃｍ、子供達の身長がネットより２７．１５ｃｍ低い。
小学校４年生９歳
女子：平均身長１３３．５ｃｍ男子：平均身長１３３．６ｃｍ男女平均は１３３．５５ｃｍ。
ネットポスト高：１５５ｃｍ、子供達の身長がネットより２１．４５ｃｍ低い。
小学校５年生１０歳
女子：平均身長１４０．２ｃｍ男子：平均身長１３８．９ｃｍ男女平均は１３９．５５ｃｍ。
ネットポスト高：１５５ｃｍ、子供達の身長がネットより１５．４５ｃｍ低い。
小学校６年生１１歳
女子：平均身長１４７．０ｃｍ男子：平均身長１４５．１ｃｍ男女平均は１４６．０５ｃｍ。
ネットポスト高：１５５ｃｍ、子供達の身長がネットより８．９５ｃｍ低い。
中学生１年１２歳
女：１５１．８ｃｍ、男：１５２．３ｃｍ、平均１５２．０５ｃｍ、ネットポストより２．９５ｃｍ低い。
中学生２年１３歳
女：１５４．８ｃｍ、男：１５９．５ｃｍ、平均１５７．１５ｃｍ、ネットポストより２．１５ｃｍ高い。
中学生３年１４歳
女：１５６．５ｃｍ、男：１６５．０ｃｍ、平均１６０．７５ｃｍ、ネットポストより５．７５ｃｍ高い。
【００１０】  成人２０歳―２４歳
女子：平均身長１５８．６ｃｍ、男子：１７１．６５ｃｍ、男女平均身長は１６５．１２５ｃｍ。
ネットポスト高：１５５ｃｍ、大人達の身長がネットより１０．１２５ｃｍ高い。ネットの高さは大人の身長おいて適切ものである。
【００１１】  上記それぞれ身長とネットポストの差について、私が１年生子供達の立場で検証体験をやって見たところ、小学校１年生の身長とネットの差を例にすると、大人の平均身長１６５．１２ｃｍより３８．８５ｃｍを伸ばし、ポストが２０３．９７ｃｍの高さで試合をすると、バドミントンの基本フライト７種類の内、ハイクリヤーとドリブンクリヤーの２種類しか上手く出来なかった。やはりネットが高すぎるという問題が分かった。幼い子供達が全面技術を鍛えることが不可能である。
0005763854.tif 000002
【００１２】    本発明は上記の事情に基づきなされたもので、「また、他の競技を参考に、例えばバスケットボールは小学生の場合、リングの高さ２．６０ｍ、大人用リングが３．０５ｍの高さ、ボールは大人と高校生用７号・中学生用６号・小学生低学年用ミニバスケットボール、３種類のボールを使用しています。
サッカーのゴールサイズは中学生以上７．３２ｍ×２．４４ｍ、小学生は５．００ｍ×２．１５ｍ、サッカーボールの場合は小学生低年生までは３号ボール、中学生まで４号ボールを使用、高校から５号ボールを使用しています。
バレーボールネットの高さついて、小学生用２．００ｍ（男女）、中学生用２．３０ｍ（男用）、２．１５ｍ（女用）、高学生２．４０ｍ（男用）、２．２０ｍ（女用）、一般人用２．４３ｍ（男用）、２．２４ｍ（女用）、以上小・中・高・一般人・男女別にルール化されており、参考例として引用します。」
その目的とするところは、幼い子供達にとってネットが高過ぎる問題を解決し、子供達が小学生時代にバドミントンの全面技術を身に付ける為、現行バドミントンネットポストを改革し、ポスト高さが小学生用部分６段を追加し、一組で多役を果たす、バドミントンネット多役ポストを提供しようとするものである。
【課題を解決する為の手段】
【００１３】  上記課題を解決するために、本発明の観点による、現行バドミントンネットの高さでは  子供達が正確なストロークとフライトを打つ事が出来ない問題において、
全国成人２０〜２４歳男女の平均身長と現行バドミントンネットポストの高さの比率を計算すると、ネットが人より低い分の差を基づいて、小学生用部分のバドミントンネットポストの高さを小学生の平均身長より低めにする、小学１年生の平均身長基準にポストの外管支柱の高さを設定し、小学生６学級に合わせてポストの高さを６段階に、
具備することを特徴とするバドミントンネット多役ポストが提供される。
【００１４】  また、上述の発明において、決められた外管支柱が以下の調整装置につけられ
調整装置の上昇⇔下降調整技術構成には以下の構造工程が必要です、ネットを支えの内管支柱・内管支柱を上昇⇔下降させる調整レバー・調整レバーが上⇔下左⇔右移動するため（定位置孔、縦の本ルート、横の支ルート）全盤ルート構造で構成され上昇⇔下降調整装置である、
操作レバーが内管支柱下部に装着する事によって内管支柱本体に成る、調整レバーが内管支柱本体を上昇⇔下降に動作させる、
定位置孔は小学１年生から大人用までそれぞれの高さ位置を定着、外管支柱壁に開けていた縦本ルートは調整レバーが上昇⇔下降の通路、横支ルートは調整レバーが本ルートから定位置孔への通路、
内管支柱本体が調整レバーによって、外管支柱の本ルートを通り、上昇や下降をさせ、それぞれ横支ルートを通って、それぞれの高さの定位置孔へ、（定位置孔の高さはプラス内管支柱本体の調整高さがバドミントンネットポストの高さとなる、）内管支柱本体を上昇⇔下降させる調整装置である。
【００１５】  なお、上述上昇⇔降下の調整装置により、今までのバドミントンネットポストを改革し、６段を追加する、７段階で上昇⇔下降調整できるようになっておる、一番上段は７段目にとする、大人用、６段目小６、１１歳用、５段目小５、１０歳用、４段目小４、９歳用、３段目小３、８歳用、２段目小２、７歳用、１段目小１、６歳用、とする、小学生達が大人達と同じネット差の比率の条件で、バドミントンをする事が可能となる。
【００１６】
0005763854.tif 000003
【発明効果】
【００１７】    上述、ネットポストを改革後、各体育館に配置し、小学生年令別ポストの高さによって、今まで小学生低学年生が、打つ事が出来ないようなフライトが、正しく打つ事が出来るようになり、楽しくバドミントンができ、希望者が増える、小学校側が対策に立って、バドミントンの部活を成立する事になる。入学校前の幼い子供達が小学生達のバドミントンの活躍影響を受け、好奇心を引き出す事で、バドミントンの興味持つ子供が増え、バドミントンスタート年齢を繰り上げる事になる、早期英才教育にとって良い効果を奏する。
【００１８】    本発明は、小学生用ポスト部の６段により、伸びる身長に合わせて高さを変えられ、一定の感覚でシャトルを打つ事ができる、バドミントンシャトルの打点と落下点の感覚が養われ、小学生達苦しい我慢のバドミントンから解放が出来て、希望に溢れる道を切り開く、そして沢山の小学生が活躍すれば、色々な大会が開催され、低学年の優秀選手が生まれます。小学生時代でバドミントンの全面技術を習って身に付ける事が可能となる、選手への育成期間が短縮になって、早期英才育成の実現を達成する。
そして現在小学生４・５・６年生が６年後東京オリンピックでの活躍が可能となる。
【００１９】    また、未来の期待は、バドミントンネット多役ポストが町から全県へ、県から全国へ、日本が世界バドミントン界の先頭に立って、小学生と兼用のバドミントンネット多役ポストを世界へ普及、様々な国際小学生年齢別バドミントン大会が開催され、バドミントンを進化させ、子供達のバドミントン世界を作り、世界への普及を大幅前進させる事が可能となる。
【００２０】  バドミントンネットポストの一品多役により、製造材料の節約で経済面にもお得、置き場の管理がしやすい、使用面でもレバーを上げ下げするだけで高さ調整ができる。
【図面の簡単な説明】
【００２１】
【図１】（従来の技術）現行のバドミントンネットポストの構造と寸法を示す背面図である。（各図いずれもポストの直径が見やすい為倍に描いている）
【図２】本発明品小学生用ポストの外管支柱の高さを示す背面図である。
【図３】ポストの内管支柱本体の構造説明を示す正面図である。
【図４】上昇と降下調整レバーの構造を示す平面図である。（見やすい為実寸法より大きく描いている、）
【図５】ネットロープ用溝と調整レバーが統一方向を示す内管支柱本体の側面断面図である。
【図６】、調整レバーが上⇔下左⇔右移動のための本ルート・支ルート・定位置孔の構造を示す正面図である。
【図７】内管支柱本体が外管支柱へ合体を示す正面図である。
【図８】ネット用ロープ用溝、ネットクリート、調整レバーがネットと統一方向を示す側面断面図である。
【図９】、一組のポストがバドミントン多役ネットポストを提供する、７段の高さ位置調整説明を示す正面図である。以上図面の簡単な説明でした
【００２２】    以下、従来使用ポストの技術と本発明のー実施の形態に係るバドミントン多役ネットポストについて、図面に基づいて説明する。図１の１から図９の４５まで説明する。
【発明を実施するための形態】
【００２３】    図１従来技術の形態説明する、
現在使用しているバドミントンネットポスト２の構造ついて、１が床面、床下部分と床上部分あり。ポスト２はポスト本体、ネットロープ用溝３がネットロープ引っ張ってネットを支え為と考えられものである、溝３が頭部４の上端面に掘り付けている、頭部４の下部が内管接着であり、ポストの背面側がロープを溝に差込下に引っ張るだけでネットをしっかり固定出来るクリート５のネット固定装置です、床上部ポスト６の高さは１５５ｃｍ、ポスト外管が７にとする、床下部分８の長さは１５ｃｍ、ポストの全長９は１７０ｃｍとなります。外管７の上部右側は固定ボルト１０です、固定ボルト１０を締めて頭部４を固定する。ポストの外管７の直径１１は４ｃｍ。８の下端がゴム付け。
以上現行バドミントンネットポストである。
【００２４】    図２の実施の形態を説明する、
図１に示すような従来技術を引用し、本発明ポストの外管支柱１２の基本高さは小学生１年生の身長よる適当で設定するものであり。外管支柱１２の高さ１３は１０３．５２５ｃｍ、（頭部４の２．５ｃｍ高さは含めでいない）床面１ａの上の部のみ高さです。床下部分８ａは図１記載の従来の長さ通り。外管外径の直径１１ａは４ｃｍが図１記載の従来技術の通り。ネット固定装置クリート５ａは従来技術の通りに利用する。固定ボルト１０ａは引続利用する。発明品の床面上部外管支柱の長さを決めている。
【００２５】  図３の内管支柱本体構成の実施の形態を説明する、
上述外管支柱１２の続く、ポストの内管支柱本体１４の構造ついて、ネットロープ用溝３と頭部４ａの外形寸法が図１記載の従来技術の通り。頭部４ａ（直径４ｃｍ）の高さ２．５ｃｍの下部と接着しているパイプ部１５の長さは１１３ｃｍ、頭部長さプラスパイプ長さは全長１６の１１５．５ｃｍの内管支柱本体１４となる。パイプ１５の外径の直径１７が３．２ｃｍ、図２の外管支柱１２の中で上昇⇔下降する。内管支柱本体１４の頭部４の頂点から、下へ調整高さ１８の７３．９７５ｃｍのところに直径６ｍｍの孔を開け、開けた孔は内面にネジ山を付けて（図４の調整レバー２０を付ける為用、）調整レバー付けるための孔１９です。内管支柱本体１４上⇔下高さ調整の役割を果たす。
【００２６】    図４の調整レバー構成の実施の形態説明する、
続いて、本発明が、外管支柱の外部で調整レバー２０を使用、高さを上昇⇔下降調整する特徴において、外管支柱１２の外部から操作調整するための調整レバーの構成について、直径６ｍｍ、ネジ山付け部２１の長さ２０ｍｍプラスネジ山がなし部２２の長さが２０ｍｍで全長は４０ｍｍのボルトを使用とする。ネジ山なし部２２の端部に直径２３ｍｍの鉄の小球体２３を溶接で付ける、調整レバー２０と成る、完成の調整レバー２０が図３の内管支柱本体１４に上昇⇔下降させ、設定の７段の高さの役割を果たす。
【００２７】  図５の内管支柱本体が調整レバーを装着の実施の形態を説明する、
なお、上述完成の調整レバー２０ａのネジ山部２１が図３の内管支柱本体１４の下端のネジ孔１９へ挿して締め付け、内管支柱本体１４ａが完成。頭部のネットロープ用溝３ｂと調整レバー２０ａの方向が同じ向きになる事を示す。
【００２８】  図６の外管支柱付けられ調整装置の全盤ルートの構成について、
図２決めていた外管支柱１２ａを調整構造つけについて、外管支柱１２ａの壁に縦方向で、床面１ｂから上へ３２．０５ｃｍ〜８１．０２５ｃｍの間を小学生と大人のそれぞれ段階高さのところに、直径６．５ｍｍの孔７個を開け、ポストの高さを決の７個定位置孔を作って行う、外管支柱１２ａの下端床面１ｂから３２．０５ｃｍ処孔を開け、小１、６歳用の高さ定位置孔２４にとする。外管支柱１２ａの下端床面１ｂから３８．００ｃｍ処孔を開け、小２、７歳用の高さ定位置孔２５にとする。外管１２ａの下端床面１ｂから４３．７５ｃｍ処孔を開け、小３、８歳用の高さ定位置孔２６にとする。外管１２ａの下端床面１ｂから４９．４５ｃｍ処孔を開け、小４、９歳用の高さ定位置孔２７にとする。外管１２ａの下端床面１ｂから５５．４５ｃｍ処孔を開け、小５、１０歳用の高さ定位置孔２８にとする。外管１２ａの下端床面１ｂから６０．９５ｃｍ処孔を開け、小６、１１歳用の高さ定位置孔２９にとする。外管１２ａの下端床面１ｂから８１．０２５ｃｍ処孔を開け、大人用の高さ定位置孔３０にとする、
上述７個定位置孔のそれぞれの高さにプラス内管１４の内管支柱本体の調整高さ１８の７３．９７５ｃｍがポストの７段のそれぞれの高さとなる、（ポストの高さの構成内訳配列表記述であり）定位置孔がポスト高さ調整の役割を果たす。
また、７個定位置孔の左側５ｍｍに間隔を置いて、縦に長さ５１ｃｍ幅６．５ｍｍ、の長方形穴を開け、内管支柱本体１４を上升⇔降下させる調整レバー２０が通る為の本ルート（通路）３１です。
前記載、７個の定位置孔のそれぞれの上に横へ長さ１８ｍｍ、幅６．５ｍｍの横支ルート７本の穴を開け、本ルート３１と繋がって行く。
続き、７本の支ルートの役割を説明する、
調整レバーが本ルート３１から横支ルート３８を通す、定位置孔３０に到着すると大人用の高さとなる。調整レバーが本ルート３１から横支ルート３７を通す、定位置孔２９に到着すると小６、１１歳用の高さとなる。調整レバーが本ルート３１から横支ルート３６を通す、定位置孔２８に到着すると小５、１０歳用の高さとなる。調整レバーが本ルート３１から横支ルート３５を通す、定位置孔２７に到着すると小４、９歳用の高さとなる。調整レバーが本ルート３１から横支ルート３４を通す、定位置孔２６に到着すると小３、８歳用の高さとなる。調整レバーが本ルート３１から横支ルート３３を通す、定位置孔２５に到着すると小２、７歳用の高さとなる。調整レバーが本ルート３１から横支ルート３２を通す、定位置孔２４に到着すると小１、６歳用の高さとなる。
上述実施の形態の全盤ルートが上⇔下調整装置の技術を具備となっておる。
【００２９】  図７の実施の形態を説明する、
図５記載の内管支柱本体１４ｂ取り付けられの調整レバー２０ｂを外し、内管支柱本体１４が図６記載の全盤ルート完成された外管支柱１２ｂの中へ挿し込み、調整レバー２０ｂが外管支柱の定位置孔３０ａから内管支柱本体１４下端のレバー孔１９ａへ挿し込み締め付けてポストの合成と成る。
【００３０】  図８の実施の形態を説明する、
図７記述の内管支柱と外管支柱が合わさると完成品多役ポストとなります。クリート５ｂネット固定装置・頭部のネットロープ用溝３ｃ・調整レバー２０ｃが同じ向きを示す。
【００３１】  図９の基づき実施例を説明する、
前述べる実施の形態に続いて、一組のポスト３９がバドミントンのコート中央に立つ、調整レバー２０ｄが定位置孔３０ｂの処で、ポスト高さは１５５ｃｍが大人用。ポスト４０の調整レバー２０ｅが１段下降すると定位置孔２９ａに到着、ポスト高さ１３５．９２５ｃｍ、小６、１１歳用。ポスト４１の調整レバー２０ｆが１段下降すると定位置孔２８ａに到着、ポスト高さ１２９．４２５ｃｍ、小５、１０歳用。ポスト４２の調整レバー２０ｇが１段下降すると定位置孔２７ａに到着、ポスト高さ１２３．４２５ｃｍ、小４、９歳用。ポスト４３の調整レバー２０ｈが１段下降すると定位置孔２６ａに到着、ポスト高さ１１７．７２５ｃｍ、小３、８歳用。ポスト４４の調整レバー２０ｉが１段下降すると定位置孔２５ａに到着、ポスト高さ１１１．９７５ｃｍ、小２、７歳用。ポスト４５の調整レバー２０ｊが１段下降すると定位置孔２４ａに到着、ポスト高さ１０６．０２５ｃｍ、小１、６歳用。一組のポストが小１から大人用までのネット高さの役割を果たす。
【００３２】
0005763854.tif 000004
【００３３】  ＜効果について＞
バドミントンネット多役ポストの最下段が、高さ１０６．０２５ｍｍ小学１年生、６歳用。ネットより身長が１０．１２５ｃｍ高い、今までの山型フライトや高く上げるのではなく、平行ドライブや下向きのプシュが出来、バドミントンに対しての好奇心を引出し、楽くさせ、興味を付けって、子供達のバドミントンの道を広げる。子供達のバドミントン世界が現実になる。
【００３４】  バドミントンネット多役ポストの第２段の高さが１１１．９７５ｃｍ小学２年生、７歳用。ネットより身長が１０．１２５ｃｍ高い、バドミントンの全面技術を習うためやり易い条件を提供し、常に高い打点練習ができ、スマシュ・プッシュ・ドライブも自由自在に打てます。ヘアピンも正確で上手く落とし込みも、上手く出来る喜びが原動力になって積極的で前向きになり、授業の合間や学校が引けた後自由な時間で練習するようになり、技能を早めに伸ばす事が出来る。
【００３５】  バドミントンネット多役ポストの第３段の高さが１１７．７２５ｃｍ小学３年生、８歳用。ネットより身長が１０．１２５ｃｍ高い、攻撃的なフライト技を習得、自由自在で大人達と同じストロークとフライトが出来ます。低いネットよりトップ選手の絶妙な技を真似し、技術を身に付ける、自信が持てるようになり強くなる。
【００３６】バドミントンネット多役ポストの第４段の高さが１２３．４２５ｃｍ小学４年生、９歳用。ネットより身長が１０．１２５ｃｍ高い、プッシュ・スマッシュ・ドライブも、正確なストロークとフライト練習が出来ます。身長とネットが共に昇高する事により感覚が変わらず、技能が一直線で飛躍、大勢な低学年優秀選手が育ち、子供達のバドミントンを大きく進化させる。
【００３７】バドミントンネット多役ポストの第５段の高さが１２９．９２５ｃｍ小学５年生、１０歳用。ネットより身長が１０．１２５ｃｍ高い、５年生とって適切な高さであり、大人達と同様な素晴らしい試合パフォマンスにする。子供達の競技人口が増える事によって様々な大会が開催され、小学生バドミントンの活躍の影響で、入学前の幼い子供達が憧れて、バドミントンの普及が大幅に広がる。
【００３８】  バドミントンネット多役ポストの第６段の高さが１３５．９２５ｃｍ小学６年生、１１歳用。ネットより身長が１０．１２５ｃｍ高い、６年間で６段年齢別に使用し、例えばヘアピンの場合、ラケットがネットの上縁近くでシャトルをネットすれすれに相手のコートに落す事が出来るようになる。ドライブも山型フライトではなく、ネット上縁ぎりぎりに床面と平行に強く打つ事ができるようになる。スマシュが高い打点でストロークが出来、フライトの落下点も短くなり。プッシュも正確なストロークとフライトを打つ事ができて、バドミントンの全盤技術を磨く事が出来て早期英才育成を実現する。中学校で強化訓練を受け、大きな夢を持って、大人達のバドミントン世界に飛び込み様々な大会の舞台で花を咲く。（東京オリンピックの舞台で主役が可能となる）。
【００３９】  ＜変形例＞
以上、本発明の一実施の形態について説明したが、本発明はこれ以外にも種々な変形が可能となっている。以下、それについて述べる。
【００４０】  上述実施の形態では、本発明品がバドミントン専用ネットポストになっている。１５５ｃｍ以上に伸ばすが出来い、しかし市販の多目的延長支柱を使用すれば伸ばす事が出来ます。ソフトバレーやミニソフトバレーが出来ます、その方法使用にしても良い。
【００４１】  また、上述実施の形態では、本発明のバドミントンネットポストが床下挿し式、床下部分を無くして、現在市販の台車移動式の台車を付けて、移動式に変更にしても良い。
【００４２】  組立式に変更し室外で使用、自宅の庭や公園で使用に。
また、上述実施の形態の本発明のバドミントンネット多役ポストが床下挿し式、室外での使用には難しい、しかし、組立型の支持体の方法を借り使用ように。パイプ材料で２個３等分Ｔ字型の足作り、足が左右向きと内へ向きに配置、長いパイプ使用しで両側から内向きの足を連結、連結のパイプをネットの真下に置きネットと同じ向き方向に、足の３等分の交差点処、短いパイプを立に溶接で固定、ポストの受け皿にする。ポストの床下部分を無くして、ポスト下端が挿し込みで立てるように、組立式の室外用バドミントンネット多役ポストを提供使用にしても良い。
【００４３】  また、上述７段調整装置より中学生用部も一段高さを追加する事が可能となる。しかし中学生が体・心理的・技能的にも大人への転換期を考慮、中１用の一段のみを加えって使用にしても良い。
【００４４】  栓止式構造の調整装置にもできます
バドミントンネット多役ポストにおいて、
外管支柱床面上部分（高さ１０３．５２５ｃｍ）の右側に床面から上へ９８ｃｍの処、止栓の孔を開け、外管支柱の定位置孔となる。なお、内管支柱本体右側の上端から下へ５７ｃｍ処孔を開け、高さ定位置孔とする。外管開けだの孔と合わせ止栓を挿し止、ポストの高さが１５５ｃｍ、大人用。内管支柱本体の右側の上端から下へ３７．９２５ｃｍの定位置孔は小６、１１歳用、ポスト高さが１３５．９２５ｃｍ、以下同じ考えすれば良い。…３１．４２５ｃｍ…は小５用…、…２５．４２５ｃｍ…小４用…、…１９．７２５ｃｍ…小３用…、…１３．９７５ｃｍ…小２用、…８．０２５ｃｍ…小１用…。栓止式使用にしても良い
【符号の説明】
【００４５】  １…床面…、３…ネットロープ溝…、４…頭部…、５…クリート…、６…床上分の全長…、８…ポスト全長…、１２…外管支柱…、１３…外管支柱床上の全長…、１４…内管支柱本体…、１５…内管パイプの全長…、１６…、内管支柱本体全長…、１８…調整高さ…、１９…レバー付用孔…、２０…調整レバー…、２４〜３０…定位置孔…、３１…本ルート…、３２〜３８…横支ルート…。
【要約】
【課題】小学生達に希望の道を切り開く、大人達と同じのバドミントンネット条件でバドミントンをさせるように、バドミントンネット多役ポストを提供する。
【解決手段】  今までのバドミントンネットポストを改革し、６段を追加する、７段階で上昇⇔下降調整できるようになっておる、一番上段７段目とする、大人用、６段目小６、１１歳用、５段目小５、１０歳用、４段目小４、９歳用、３段目小３、８歳用、２段目小２、７歳用、１段目小１、６歳用、とする、小学生達が大人達と同じネット差の比率の条件で、バドミントンをさせで、早期英才教育やバドミントンの普及が及び早期英才育成為良い条件を具備するバドミントンネット多役ポストを提供する。
【選択図】図９【図１】
0005763854.tif 000005
【図２】
0005763854.tif 000006
【図３】
0005763854.tif 000007
【図４】
0005763854.tif 000008
【図５】
0005763854.tif 000009
【図６】
0005763854.tif 000010
【図７】
0005763854.tif 000011
【図８】
0005763854.tif 000012
【図９】
0005763854.tif 000013